【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
接続ポイント（ＣＰ）におけるユーザ機器（ＵＥ）の発見のためのワイヤレス通信の方法であって、前記方法は、
基準タイミング情報を受信することと、
前記基準タイミング情報に基づいて、ビーコンを送信するための１つまたは複数のタイムスロットを決定することと、
前記１つまたは複数のタイムスロットのうちの少なくとも１つのタイムスロット中に前記ビーコンを送信することと
を備え、
ここにおいて、前記ビーコンは、前記少なくとも１つのタイムスロットのいくつかのサブスロットにそれぞれ対応する１つまたは複数の方向において送信され、前記ビーコンが、デジタルビームフォーミング能力、送信電力、アンテナの数、他のＣＰを見る能力、外部ネットワークへの接続性、または外部ネットワークへのモビリティのうちの少なくとも１つを示す、前記ＣＰのビームフォーミング能力情報を備えること、および前記方法が、
前記少なくとも１つのタイムスロットの少なくとも１つのサブスロット中で前記ビーコンを送信することを控えることと、
前記少なくとも１つのサブスロット中に少なくとも１つの他のＣＰの存在を発見することと
をさらに備えることを特徴とする、方法。
【請求項２】
前記ビーコンが、擬似ランダム方法に従って選択された方向において送信される、請求項１に記載の方法。
【請求項３】
前記擬似ランダム方法が、前記ＣＰのセル識別子に基づいて計算されるか、または前記ＣＰに割り当てられる、請求項２に記載の方法。
【請求項４】
前記１つまたは複数のタイムスロットのうちの少なくとも１つの他のタイムスロット中に前記ＵＥから応答信号を受信すること
をさらに備え、ここにおいて、前記応答信号は、前記ビーコンが送信される前記１つまたは複数の方向に対応する方向において受信される、請求項１に記載の方法。
【請求項５】
前記ビーコンが複数のビームフォーミング方向において同時に送信される、請求項１に記載の方法。
【請求項６】
少なくとも１つの方向においてデータまたは制御情報を送信しながら、少なくとも１つの他の方向において前記ビーコンを送信することをさらに備える、請求項１に記載の方法。
【請求項７】
前記少なくとも１つの他のＣＰの送信タイミングを決定することと、
前記少なくとも１つの他のＣＰの前記送信タイミングに基づいて前記１つまたは複数のタイムスロットの境界を調整することと
をさらに備える、請求項１に記載の方法。
【請求項８】
前記ビーコンが、送信のために前記少なくとも１つの他のＣＰによって使用されるサブバンドとは異なるサブバンド中で送信される、請求項１に記載の方法。
【請求項９】
少なくとも１つの接続ポイント（ＣＰ）の発見のためのユーザ機器（ＵＥ）におけるワイヤレス通信の方法であって、前記方法は、
基準タイミング情報を受信することと、
前記基準タイミング情報に基づいて、前記少なくとも１つのＣＰからそれぞれ少なくとも１つのビーコンを受信するための１つまたは複数のタイムスロットを決定することと、ここにおいて、それぞれのビーコンが、デジタルビームフォーミング能力、送信電力、アンテナの数、他のＣＰを見る能力、外部ネットワークへの接続性、または外部ネットワークへのモビリティのうちの少なくとも１つを示す、それぞれの接続ポイントのビームフォーミング能力情報を備える、
前記１つまたは複数のタイムスロットのうちの少なくとも１つのタイムスロット中に起動することと、
前記少なくとも１つのタイムスロットのいくつかのサブスロットにそれぞれ対応する１つまたは複数の方向において前記少なくとも１つのビーコンを監視することと、ここにおいて、前記少なくとも１つのビーコンは、前記サブスロットのうちの少なくとも１つの中では送信されない、
前記少なくとも１つのタイムスロット中で前記少なくとも１つのビーコンを受信することと、ここにおいて、前記少なくとも１つのビーコンが、前記１つまたは複数の方向のうちの少なくとも１つの方向において受信される、
を備える、方法。
【請求項１０】
前記１つまたは複数のタイムスロットのうちの少なくとも１つの他のタイムスロット中に応答信号を接続ポイントに送信すること
をさらに備え、ここにおいて、前記応答信号は、ビーコンが、しきい値よりも大きい電力で受信される、前記少なくとも１つのタイムスロットのサブスロットに対応する前記少なくとも１つの他のタイムスロットのサブスロット中で送信される、請求項９に記載の方法。
【請求項１１】
しきい値よりも大きい信号強度で受信される前記ビーコン、または
それぞれのビーコン中に含まれる前記ビームフォーミング能力情報
のうちの少なくとも１つに基づいて、前記少なくとも１つのタイムスロットの同じサブスロット中で前記それぞれのビーコンを送信した複数の接続ポイントのうちの１つを選択することと、
前記１つまたは複数のタイムスロットのうちの少なくとも１つの他のタイムスロット中に応答信号を前記選択された接続ポイントに送信することと、ここにおいて、前記応答信号は、前記選択された接続ポイントからの前記ビーコンが受信される前記少なくとも１つのタイムスロットの前記サブスロットに対応する前記少なくとも１つの他のタイムスロットのサブスロット中で送信される、
をさらに備える、請求項９に記載の方法。
【請求項１２】
前記選択された接続ポイントからの前記ビーコンが、第１の受信方向を使用して受信され、
前記応答信号が、前記第１の受信方向に対応する第１の送信方向において前記選択された接続ポイントに送信される、
請求項１１に記載の方法。
【請求項１３】
前記ビームフォーミング能力情報に基づいて前記少なくとも１つの接続ポイントの送信タイミングを決定することと、
前記少なくとも１つの接続ポイントの前記送信タイミングに基づいて前記１つまたは複数のタイムスロットの境界を調整することと
をさらに備える、請求項９に記載の方法。
【請求項１４】
前記少なくとも１つのビーコンの受信電力を決定することと、
前記少なくとも１つのビーコンの前記受信電力に基づいて送信電力を調整することと
をさらに備える、請求項９に記載の方法。
【請求項１５】
ユーザ機器（ＵＥ）を発見するように構成された、ワイヤレス通信のための接続ポイント（ＣＰ）であって、前記ＣＰは、
基準タイミング情報を受信するための手段と、
前記基準タイミング情報に基づいて、ビーコンを送信するための１つまたは複数のタイムスロットを決定するための手段と、
前記１つまたは複数のタイムスロットのうちの少なくとも１つのタイムスロット中に前記ビーコンを送信するための手段と
を備え、
ここにおいて、前記ビーコンは、前記少なくとも１つのタイムスロットのいくつかのサブスロットにそれぞれ対応する１つまたは複数の方向において送信され、前記ビーコンが、デジタルビームフォーミング能力、送信電力、アンテナの数、他のＣＰを見る能力、外部ネットワークへの接続性、または外部ネットワークへのモビリティのうちの少なくとも１つを示す、前記ＣＰのビームフォーミング能力情報を備えること、および前記ＣＰが、
前記少なくとも１つのタイムスロットの少なくとも１つのサブスロット中で前記ビーコンを送信することを控えるための手段と、
前記少なくとも１つのサブスロット中に少なくとも１つの他のＣＰの存在を発見するための手段と
をさらに備えることを特徴とする、ＣＰ。
【請求項１６】
少なくとも１つの接続ポイント（ＣＰ）を発見するように構成された、ワイヤレス通信のためのユーザ機器（ＵＥ）であって、前記ＵＥは、
基準タイミング情報を受信するための手段と、
前記基準タイミング情報に基づいて、前記少なくとも１つのＣＰからそれぞれ少なくとも１つのビーコンを受信するための１つまたは複数のタイムスロットを決定するための手段と、ここにおいて、それぞれのビーコンが、デジタルビームフォーミング能力、送信電力、アンテナの数、他のＣＰを見る能力、外部ネットワークへの接続性、または外部ネットワークへのモビリティのうちの少なくとも１つを示す、それぞれの接続ポイントのビームフォーミング能力情報を備える、
前記１つまたは複数のタイムスロットのうちの少なくとも１つのタイムスロット中に起動するための手段と、
前記少なくとも１つのタイムスロットのいくつかのサブスロットにそれぞれ対応する１つまたは複数の方向において前記少なくとも１つのビーコンを監視するための手段と、ここにおいて、前記少なくとも１つのビーコンは、前記サブスロットのうちの少なくとも１つの中では送信されない、
前記少なくとも１つのタイムスロット中で前記少なくとも１つのビーコンを受信するための手段と、ここにおいて、前記少なくとも１つのビーコンが、前記１つまたは複数の方向のうちの少なくとも１つの方向において受信される、
を備える、ＵＥ。